【手続補正書】
【提出日】平成29年2月17日(2017.2.17)
【手続補正１】
【補正対象書類名】明細書
【補正対象項目名】００３０
【補正方法】変更
【補正の内容】
【００３０】
当業者には、本発明の広範な発明的概念から逸脱することなく、上述した実施形態に対して変更を行うことができることが理解される。例えば、前述した受容部材１０４は、Ｊ字フックワイパーアームを取り付ける構造部は有しないが、複数のピンワイパーアーム、並びにＰＴＢワイパーアームおよびＩ＆Ｌワイパーアーム等の複数のチャネルワイパーアームを取り付ける前述の構造部は有するように変形することができる。これは、本出願と同日出願された、「Connectors and Connector Kit for Attachment of a Windshield Wiper Blade to Multiple Types of Windshield Wiper Arms」という名称の係属中の米国特許出願（代理人整理番号１４６５６／７、顧客参照番号ＩＴＷ６１９６８）に記載されている。上記米国特許出願の内容全体は、引用することにより本明細書の一部をなす。従って、本発明は開示された特定の実施形態に限定されず、添付の特許請求の範囲によって規定される本発明の趣旨および範囲内での変更を包含することが意図されることが理解される。また、完全なコネクター１００またはベース部１０２を有しないコネクター１００の設計態様が可能である。
なお、本発明は以下の特徴を以って実施することができる。
［特徴１］
ワイパーブレードと複数のタイプのワイパーアームとを連結するコネクターにおいて、
ワイパーブレードに取り付けられるベース部と、
前記ベース部に取り付けられ、少なくとも６つの異なるワイパーアームを受容して、該少なくとも６つの異なるワイパーアームに連結される構造部を有する受容部材とを備えるコネクター。
［特徴２］
前記少なくとも６つの異なるワイパーアームは少なくとも３つの異なる種類のワイパーアームを含む特徴１に記載のコネクター。
［特徴３］
前記少なくとも６つの異なるワイパーアームのうちの１つはＩ＆Ｌワイパーアームである特徴２に記載のコネクター。
［特徴４］
前記少なくとも６つの異なるワイパーアームのうちの１つはＰＴＢワイパーアームである特徴１に記載のコネクター。
［特徴５］
前記少なくとも６つの異なるワイパーアームのうちの１つはＪ字フックワイパーアームである特徴１に記載のコネクター。
［特徴６］
前記少なくとも６つの異なるワイパーアームのうちの１つはピンワイパーアームである特徴１に記載のコネクター。
［特徴７］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとを含む特徴１に記載のコネクター。
［特徴８］
フロントガラスワイパーにおいて、
ワイパーブレードと、
ワイパーアームと、
コネクターとを備え、
前記コネクターは、
前記ワイパーブレードに取り付けられるベース部と、
前記ベース部および前記ワイパーアームに取り付けられる受容部材であって、該受容部材が連結される前記ワイパーアームに加えて、少なくとも５つの異なるワイパーアームを受容して、該少なくとも５つの異なるワイパーアームに連結される構造部を有する受容部材とを備えるフロントガラスワイパー。
［特徴９］
前記受容部材に取り付けられる前記ワイパーアームおよび前記少なくとも５つの異なるワイパーアームは、少なくとも３つの異なる種類のワイパーアームを含む特徴８に記載のフロントガラスワイパー。
［特徴１０］
前記受容部材に取り付けられる前記ワイパーアームはＩ＆Ｌワイパーアームである特徴８に記載のフロントガラスワイパー。
［特徴１１］
前記受容部材に取り付けられる前記ワイパーアームはＰＴＢワイパーアームである特徴８に記載のフロントガラスワイパー。
［特徴１２］
前記受容部材に取り付けられる前記ワイパーアームはＪ字フックワイパーアームである特徴８に記載のフロントガラスワイパー。
［特徴１３］
前記受容部材に取り付けられる前記ワイパーアームはピンワイパーアームである特徴８に記載のフロントガラスワイパー。
［特徴１４］
前記受容部材に取り付けられる前記ワイパーアームおよび前記少なくとも５つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとを含む特徴８に記載のフロントガラスワイパー。
［特徴１５］
ワイパーブレードとワイパーアームとを連結するコネクターにおいて、
ワイパーブレードに取り付けられるベース部と、
前記ベース部に枢結される受容部材とを具備し、
前記該受容部材は、
該受容部材を前記ベース部に枢結する取付け部と、
ワイパーアームを受容するように構成されている穴とを有し、
更に、前記穴に隣接して配置され、前記ワイパーアームが前記穴に受容されると、前記ワイパーアームに係合して、前記受容部材が前記ベース部に対して回動することを防止する回動停止部を備えるコネクター。
［特徴１６］
前記回動停止部は前記ベース部と一体である特徴１５に記載のコネクター。
［特徴１７］
前記受容部材は、少なくとも６つの異なるワイパーアームを受容して、該少なくとも６つの異なるワイパーアームに連結される構造部を有する特徴１５に記載のコネクター。
［特徴１８］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴１７に記載のコネクター。
［特徴１９］
前記少なくとも６つの異なるワイパーアームは少なくとも３つの異なる種類のワイパーアームを含む特徴１７に記載のコネクター。
［特徴２０］
前記受容部材は凹状部を有するキャップを含み、該キャップは、開位置から閉位置に回動し、該閉位置では、前記凹状部は前記穴に受容されている前記ワイパーアームに係合する特徴１５に記載のコネクター。
［特徴２１］
フロントガラスワイパーにおいて、
ワイパーブレードと、
ワイパーアームと、
コネクターとを具備し、
前記コネクターは、
前記ワイパーブレードに取り付けられるベース部と、
前記ベース部に枢結される受容部材とを有し、
前記受容部材は、
該受容部材を前記ベース部に枢結する取付け部と、
前記ワイパーアームを受容するように構成されている穴とを有しており、
更に、前記穴に隣接して配置され、前記ワイパーアームが前記穴に受容されると、前記ワイパーアームに係合して、前記受容部材が前記ベース部に対して回動することを防止する回動停止部を備えるフロントガラスワイパー。
［特徴２２］
前記回動停止部は前記ベース部と一体である特徴２１に記載のコネクター。
［特徴２３］
前記ワイパーアームは、ピンワイパーアームである特徴２１に記載のフロントガラスワイパー。
［特徴２４］
前記受容部材は、前記穴が受容する前記ワイパーアームに加えて、少なくとも５つの異なるワイパーアームを受容して、該少なくとも５つの異なるワイパーアームに連結される構造部を有する特徴２１に記載のフロントガラスワイパー。
［特徴２５］
前記少なくとも５つの異なるワイパーアームは、Ｉ＆Ｌワイパーアームと、ＰＴＢワイパーアームと、ピンワイパーアームと、第１のＪ字フックワイパーアームと、第２のＪ字フックワイパーアームとを含む特徴２４に記載のフロントガラスワイパー。
［特徴２６］
前記穴が受容する前記ワイパーアームは第２のピンワイパーアームである特徴２５に記載のフロントガラスワイパー。
［特徴２７］
前記穴が受容する前記ワイパーアームおよび前記少なくとも５つの異なるワイパーアームは、少なくとも３つの異なる種類のワイパーアームを含む特徴２４に記載のフロントガラスワイパー。
［特徴２８］
前記受容部材は凹状部を有するキャップを含み、該キャップは、開位置から閉位置に回動し、該閉位置では、前記凹状部は前記穴に受容されている前記ワイパーアームに係合する特徴２１に記載のフロントガラスワイパー。
［特徴２９］
ワイパーブレードとワイパーアームとを連結するコネクターにおいて、
ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、ワイパーアームの表面をぴったりと受容するような寸法のスロットを形成しており、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面する突出部を有する係合舌片とを含むコネクター。
［特徴３０］
前記第１の側方支持部および前記第２の側方支持部は前記係合舌片とは独立して動き、また、該係合舌片は該第１の側方支持部および該第２の側方支持部とは独立して動く特徴２９に記載のコネクター。
［特徴３１］
前記係合舌片は、前記突出部の反対側に位置する解除ノッチを有する特徴２９に記載のコネクター。
［特徴３２］
前記支持部は、一対の可撓性翼状停止部を更に含み、該一対の可撓性翼状停止部は、互いに対面し、前記スロットの長手軸に対して垂直の方向に沿って互いに向かって押圧することができる特徴２９に記載のコネクター。
［特徴３３］
前記受容部材は、少なくとも６つの異なるワイパーアームを受容して、該少なくとも６つの異なるワイパーアームに連結される構造部を有する特徴２９に記載のコネクター。
［特徴３４］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴３３に記載のコネクター。
［特徴３５］
前記少なくとも６つの異なるワイパーアームは少なくとも３つの異なる種類のワイパーアームを含む特徴３３に記載のコネクター。
［特徴３６］
フロントガラスワイパーにおいて、
ワイパーブレードと、
ワイパーアームと、
コネクターとを備え、
前記コネクターは、
前記ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、前記ワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面して前記ワイパーアームに係合する突出部を有する係合舌片とを含むフロントガラスワイパー。
［特徴３７］
前記第１の側方支持部および前記第２の側方支持部は前記係合舌片とは独立して動き、また、該係合舌片は該第１の側方支持部および該第２の側方支持部とは独立して動く特徴３６に記載のフロントガラスワイパー。
［特徴３８］
前記係合舌片は、前記突出部の反対側に位置する解除ノッチを有する特徴３６に記載のフロントガラスワイパー。
［特徴３９］
前記支持部は一対の可撓性翼状停止部を更に含み、該一対の可撓性翼状停止部は、互いに対面し、前記スロットの長手軸に対して垂直の方向に沿って互いに向かって押圧することができ、前記翼状停止部が互いに向かって押圧されていないとき、該翼状停止部は、前記ワイパーアームが前記長手軸に沿って動くことを防止する特徴３６に記載のフロントガラスワイパー。
［特徴４０］
前記ワイパーアームは前記支持面の下側に係合するフランジを有する特徴３６に記載のフロントガラスワイパー。
［特徴４１］
前記ワイパーアームはＰＴＢワイパーアームである特徴３６に記載のフロントガラスワイパー。
［特徴４２］
前記受容部材は、前記スロットに受容する前記ワイパーアームの他に、少なくとも５つの異なるワイパーアームを受容して、該少なくとも５つの異なるワイパーアームに連結される構造部を有する特徴４１に記載のフロントガラスワイパー。
［特徴４３］
前記少なくとも５つの異なるワイパーアームは、Ｉ＆Ｌワイパーアームと、第１のピンワイパーアームと、第２のピンワイパーアームと、第１のＪ字フックワイパーアームと、第２のＪ字フックワイパーアームとである特徴４２に記載のフロントガラスワイパー。
［特徴４４］
前記スロットが受容する前記ワイパーアームおよび前記少なくとも５つの異なるワイパーアームは、少なくとも３つの異なる種類のワイパーアームを含む特徴４２に記載のフロントガラスワイパー。
［特徴４５］
ワイパーブレードとワイパーアームとを連結するコネクターにおいて、
ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合して、該受容部材が前記ベース部に対して回動することを防止する回動停止部と、
互いに対面し互いに向かって押圧することができる一対の可撓性翼状停止部を含む支持面と、
前記支持面から離間して該支持面に対面する係合面とを有し、
前記係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むコネクター。
［特徴４６］
前記第１の側方支持部および前記第２の側方支持部は前記係合舌片とは独立して動き、また、該係合舌片は該第１の側方支持部および該第２の側方支持部とは独立して動く特徴４５に記載のコネクター。
［特徴４７］
前記係合舌片は前記突出部の反対側に位置する解除ノッチを有する特徴４５に記載のコネクター。
［特徴４８］
前記一対の可撓性翼状停止部は、前記スロットの長手軸に対して垂直の方向に沿って互いに向かって押圧することができる特徴４５に記載のコネクター。
［特徴４９］
前記回動停止部は前記ベース部と一体である特徴４５に記載のコネクター。
［特徴５０］
前記受容部材は、少なくとも６つの異なるワイパーアームを受容して、該少なくとも６つの異なるワイパーアームに連結される構造部を有する特徴４５に記載のコネクター。
［特徴５１］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴５０に記載のコネクター。
［特徴５２］
前記少なくとも６つの異なるワイパーアームは、少なくとも３つの異なる種類のワイパーアームを含む特徴５０に記載のコネクター。
［特徴５３］
前記受容部材は凹状部を有するキャップを含み、該キャップは、開位置から閉位置に回動し、該閉位置では、前記凹状部は前記穴に受容されている前記ワイパーアームに係合する特徴４５に記載のコネクター。
［特徴５４］
前記受容部材は、ワイパーアームを受容する第２の穴を有し、前記受容部材は、一対の凹状部を有するキャップを含み、該キャップは、開位置から閉位置に回動し、該閉位置では、前記凹状部は、前記穴または前記第２の穴のいずれかに受容されている前記ワイパーアームに係合する特徴４５に記載のコネクター。
［特徴５５］
フロントガラスワイパーにおいて、
ワイパーブレードと、
ワイパーアームと、
前記ワイパーアームに取り付けられるコネクターとを備え、
前記コネクターは、
前記ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合し、該受容部材が前記ベース部に対して回動することを防止する回動停止部と、
互いに対面しに沿って互いに向かって押圧することができる一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むフロントガラスワイパー。
［特徴５６］
前記第１の側方支持部および前記第２の側方支持部は前記係合舌片とは独立して動き、また、該係合舌片は該第１の側方支持部および該第２の側方支持部とは独立して動く特徴５５に記載のフロントガラスワイパー。
［特徴５７］
前記係合舌片は、前記突出部の反対側に位置する解除ノッチを有する特徴５５に記載のフロントガラスワイパー。
［特徴５８］
前記一対の可撓性翼状停止部は、前記スロットの長手軸に対して垂直の方向に沿って互いに向かって押圧することができる特徴５５に記載のフロントガラスワイパー。
［特徴５９］
前記回動停止部は前記ベース部と一体である特徴５５に記載のフロントガラスワイパー。
［特徴６０］
前記受容部材は、少なくとも６つの異なるワイパーアームを受容して、該少なくとも６つの異なるワイパーアームに連結される構造部を有する特徴５５に記載のフロントガラスワイパー。
［特徴６１］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴６０に記載のフロントガラスワイパー。
［特徴６２］
前記少なくとも６つの異なるワイパーアームは、少なくとも３つの異なる種類のワイパーアームを含む特徴６０に記載のフロントガラスワイパー。
［特徴６３］
前記受容部材は凹状部を有するキャップを含み、該キャップは、開位置から閉位置に回動し、該閉位置では、前記凹状部は前記穴に受容されている前記ワイパーアームに係合する特徴５５に記載のフロントガラスワイパー。
［特徴６４］
前記受容部材はワイパーアームを受容する第２の穴を有し、前記受容部材は、一対の凹状部を有するキャップを含んでおり、該キャップは、開位置から閉位置に回動し、該閉位置において、前記凹状部は、前記穴または前記第２の穴のいずれかに受容されている前記ワイパーアームに係合する特徴５５に記載のフロントガラスワイパー。
［特徴６５］
前記ワイパーアームは前記第１のワイパーアームである特徴５５に記載のフロントガラスワイパー。
［特徴６６］
前記ワイパーアームは前記第２のワイパーアームである特徴５５に記載のフロントガラスワイパー。
【手続補正２】
【補正対象書類名】特許請求の範囲
【補正対象項目名】全文
【補正方法】変更
【補正の内容】
【特許請求の範囲】
【請求項１】
ワイパーブレードと複数のタイプのワイパーアームとを連結するコネクターにおいて、
ワイパーブレードに取り付けられるベース部と、
前記ベース部に取り付けられ、少なくとも６つの異なるワイパーアームを受容して、該少なくとも６つの異なるワイパーアームに連結される構造部を有する受容部材とを備えるコネクター。
【請求項２】
フロントガラスワイパーにおいて、
ワイパーブレードと、
ワイパーアームと、
コネクターとを備え、
前記コネクターは、
前記ワイパーブレードに取り付けられるベース部と、
前記ベース部および前記ワイパーアームに取り付けられる受容部材であって、該受容部材が連結される前記ワイパーアームに加えて、少なくとも５つの異なるワイパーアームを受容して、該少なくとも５つの異なるワイパーアームに連結される構造部を有する受容部材とを備えるフロントガラスワイパー。
【請求項３】
ワイパーブレードとワイパーアームとを連結するコネクターにおいて、
ワイパーブレードに取り付けられるベース部と、
前記ベース部に枢結される受容部材とを具備し、
前記該受容部材は、
該受容部材を前記ベース部に枢結する取付け部と、
ワイパーアームを受容するように構成されている穴とを有し、
更に、前記穴に隣接して配置され、前記ワイパーアームが前記穴に受容されると、前記ワイパーアームに係合して、前記受容部材が前記ベース部に対して回動することを防止する回動停止部を備えるコネクター。
【請求項４】
フロントガラスワイパーにおいて、
ワイパーブレードと、
ワイパーアームと、
コネクターとを具備し、
前記コネクターは、
前記ワイパーブレードに取り付けられるベース部と、
前記ベース部に枢結される受容部材とを有し、
前記受容部材は、
該受容部材を前記ベース部に枢結する取付け部と、
前記ワイパーアームを受容するように構成されている穴とを有しており、
更に、前記穴に隣接して配置され、前記ワイパーアームが前記穴に受容されると、前記ワイパーアームに係合して、前記受容部材が前記ベース部に対して回動することを防止する回動停止部を備えるフロントガラスワイパー。
【請求項５】
ワイパーブレードとワイパーアームとを連結するコネクターにおいて、
ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、ワイパーアームの表面をぴったりと受容するような寸法のスロットを形成しており、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面する突出部を有する係合舌片とを含むコネクター。
【請求項６】
フロントガラスワイパーにおいて、
ワイパーブレードと、
ワイパーアームと、
コネクターとを備え、
前記コネクターは、
前記ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、前記ワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面して前記ワイパーアームに係合する突出部を有する係合舌片とを含むフロントガラスワイパー。
【請求項７】
ワイパーブレードとワイパーアームとを連結するコネクターにおいて、
ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合して、該受容部材が前記ベース部に対して回動することを防止する回動停止部と、
互いに対面し互いに向かって押圧することができる一対の可撓性翼状停止部を含む支持面と、
前記支持面から離間して該支持面に対面する係合面とを有し、
前記係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むコネクター。
【請求項８】
フロントガラスワイパーにおいて、
ワイパーブレードと、
ワイパーアームと、
前記ワイパーアームに取り付けられるコネクターとを備え、
前記コネクターは、
前記ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合し、該受容部材が前記ベース部に対して回動することを防止する回動停止部と、
互いに対面しに沿って互いに向かって押圧することができる一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むフロントガラスワイパー。